(57)【特許請求の範囲】
【請求項１】
筐体の開口部に嵌設された開閉蓋において、開閉蓋の端部両側面に突設された回動軸と、回動軸を枢支すべく筐体側に設けられた軸受け機構と、回動を保持する回動保持部とを含む開閉蓋用の軸および軸受け構造であって、
前記軸受け機構は、筐体開口部の側壁に穿かれ、かつ前記回動軸の周囲に十分に広い間隙が設けられた軸受け用の貫通孔もしくは壁龕で構成される軸受け部と、軸受け部に対して張り出して設けられた突出部とを含み、
前記回動軸は、前記軸受け部内を回動するにあたっては回転運動の中心軸が移動、すなわち所謂「ぶれ」を伴う回転動作を行い、
前記開閉蓋が開かれる際に、前記回動軸は、前記軸受け部内を回転運動の中心軸先端部が軸受け部の側面に当接される方向に移動し、同様に前記回動保持部も前記開閉蓋の動きに合わせて下方に移動し、
前記開閉蓋の開度が増加するに伴い、前記中心軸先端部は、軸受け部の側面によって係止され、前記回動保持部は、前記突出部の水平面によって係止され、
係る一連の動きによって、前記開閉蓋の回動軸側の端部が前記開口部の回動軸側の壁と干渉することを防止したことを特徴とする開閉蓋用の軸および軸受け構造。
【請求項２】
筐体の開口部に嵌設された開閉蓋において、開閉蓋の端部両側面に突設された回動軸と、回動軸を枢支すべく筐体側に設けられた軸受け機構と、を含む開閉蓋用の軸および軸受け構造であって、
前記回動軸は、その根元に軸径が先端部よりも太い回動軸基部を有し、
前記軸受け機構は、筐体開口部の側壁に穿かれ、かつ前記回動軸の周囲に十分に広い間隙が設けられた軸受け用の貫通孔もしくは壁龕で構成される軸受け部と、軸受け部に対して張り出して設けられた突出部とを含み、
前記回動軸は、前記軸受け部内を回動するにあたっては回転運動の中心軸が移動、すなわち所謂「ぶれ」を伴う回転動作を行い、
前記開閉蓋が開かれる際に、前記回動軸は、前記軸受け部内を回転運動の中心軸先端部が軸受け部の側面に当接される方向に移動し、同様に前記回動軸基部も前記開閉蓋の動きに合わせて下方に移動し、
前記開閉蓋の開度が増加するに伴い、前記中心軸先端部は、軸受け部の側面によって係止され、前記回動軸基部は、前記突出部の水平面によって係止され、
係る一連の動きによって、前記開閉蓋の回動軸側の端部が前記開口部の回動軸側の壁と干渉することを防止したことを特徴とする開閉蓋用の軸および軸受け構造。
【請求項３】
前記軸受け部に対して張り出して設けられた突出部は、
軸受け部を一部塞ぐような形態で、その上面が筐体開口部の側壁と直交した略水平な面となるよう、かつその一方の側面は、該側面と筐体開口部の端面とで、その間に空間を生ずるように配置されていることを特徴とする請求項１または２に記載の開閉蓋用の軸および軸受け構造。
【発明の詳細な説明】
【技術分野】
【０００１】
本発明は、筐体に設けた開口部に嵌設された開閉蓋の開閉構造に関するものであり、より詳細には、開閉蓋に設けられた回動軸と、該回動軸を枢支すべく筐体側に設けられた軸受け機構の双方の構造に関するものである。
【背景技術】
【０００２】
一般に、電子機器等の筐体には、各種の点検や調整のために多数の開口部が設けられている。これらの開口部には、防塵或いは保安上の対策から開閉蓋が設けられており、係る開閉蓋の開閉動作の構造に関しては、従来から、例えば、特許文献１ないし３に示すような数多くの先行技術文献が開示されている。
【０００３】
【特許文献１】特開２０００−２００９８３号公報
【特許文献２】特開２００３−１５５８５９号公報
【特許文献３】特開２００３−３１８５６４号公報
【発明の開示】
【発明が解決しようとする課題】
【０００４】
一般に、このような従来技術においては、開閉蓋側に回動軸を設け、係る回動軸を筐体側に設けた軸受け機構に回動自在に嵌合させ、筐体開口部における開閉蓋の開閉を行なう構造のものが多い。係る従来構造において、開口部に対し開閉蓋の大きさ・面積を同一に設定してしまうと開閉蓋と開口部の縁が互いに干渉し開閉動作の円滑性が損なわれ、開閉蓋の開閉に困難を生じる場合が多く、最悪の場合は開閉蓋の破壊や回動軸の折損等の事故を招くおそれがあった。
【０００５】
このため、従来技術においては、例えば、開閉蓋の回動軸が設けられた端部と、同端部が当接される開口部壁面との間に若干の間隙を設け、開閉蓋の開閉動作に伴う筐体と開閉蓋との干渉を防止したり、或いは、開閉蓋の背面が当接される開口部壁面の上端にＲ（アール）を付ける（いわゆるＣ面形状加工）などの工夫を行う必要があった。
【０００６】
しかしながら、このような加工を行なうことは、筐体と開閉蓋との間に不要な間隙を設けることになり、製品の美観やそのデザイン性を著しく損なうことになる。また、係る間隙から筐体内へゴミや塵埃等の混入を招くおそれもあった。さらに、このような加工によって、製品の金型や製品自体の製造工程が複雑化し、製品の製造コストの増加を招くという問題もあった。
【０００７】
また、従来技術においては、通常、開閉蓋の回動軸を筐体側に設けた軸受け孔にぴったりと嵌合させるため、筐体の金型製造時に、いわゆるスライド構造を設ける必要があり、製品に関する金型の構造が複雑化する等の問題があった。
【０００８】
本発明は、従来技術におけるこのような課題の解決を目的とするものであって、より具体的には、筐体に設けられた開口部とこれに嵌設された開閉蓋との気密性を高め、かつ、製品の製造工程の複雑化を伴わない、開閉蓋用の軸および軸受け構造を提供することを目的とする。
【課題を解決するための手段】
【０００９】
本発明の第１の観点による開閉蓋用の軸および軸受け構造は、上記の課題を解決するために、
筐体の開口部に嵌設された開閉蓋において、開閉蓋の端部両側面に突設された回動軸と、回動軸を枢支すべく筐体側に設けられた軸受け機構と、回動を保持する回動保持部とを含む開閉蓋用の軸および軸受け構造であって、
前記軸受け機構は、筐体開口部の側壁に穿かれ、かつ前記回動軸の周囲に十分に広い間隙が設けられた軸受け用の貫通孔もしくは壁龕で構成される軸受け部と、軸受け部に対して張り出して設けられた突出部とを含み、
前記回動軸は、前記軸受け部内を回動するにあたっては回転運動の中心軸が移動、すなわち所謂「ぶれ」を伴う回転動作を行い、
前記開閉蓋が開かれる際に、前記回動軸は、前記軸受け部内を回転運動の中心軸先端部が軸受け部の側面に当接される方向に移動し、同様に前記回動保持部も前記開閉蓋の動きに合わせて下方に移動し、
前記開閉蓋の開度が増加するに伴い、前記中心軸先端部は、軸受け部の側面によって係止され、前記回動保持部は、前記突出部の水平面によって係止され、
係る一連の動きによって、前記開閉蓋の回動軸側の端部が前記開口部の回動軸側の壁と干渉することを防止したことを特徴とする。
【００１０】
また、本発明の第２の観点による開閉蓋用の軸および軸受け構造は、上記の課題を解決するために、
筐体の開口部に嵌設された開閉蓋において、開閉蓋の端部両側面に突設された回動軸と、回動軸を枢支すべく筐体側に設けられた軸受け機構と、を含む開閉蓋用の軸および軸受け構造であって、
前記回動軸は、その根元に軸径が先端部よりも太い回動軸基部を有し、
前記軸受け機構は、筐体開口部の側壁に穿かれ、かつ前記回動軸の周囲に十分に広い間隙が設けられた軸受け用の貫通孔もしくは壁龕で構成される軸受け部と、軸受け部に対して張り出して設けられた突出部とを含み、
前記回動軸は、前記軸受け部内を回動するにあたっては回転運動の中心軸が移動、すなわち所謂「ぶれ」を伴う回転動作を行い、
前記開閉蓋が開かれる際に、前記回動軸は、前記軸受け部内を回転運動の中心軸先端部が軸受け部の側面に当接される方向に移動し、同様に前記回動軸基部も前記開閉蓋の動きに合わせて下方に移動し、
前記開閉蓋の開度が増加するに伴い、前記中心軸先端部は、軸受け部の側面によって係止され、前記回動軸基部は、前記突出部の水平面によって係止され、
係る一連の動きによって、前記開閉蓋の回動軸側の端部が前記開口部の回動軸側の壁と干渉することを防止したことを特徴とする。
【００１１】
したがって、以上のような構成によれば、筐体開口部の開閉蓋が開閉される際に、開閉蓋の回動軸が開口部の側壁に設けられた軸受け部内を自在に遊動するので、開口部縁と開閉蓋との相互干渉を防止し、開閉蓋の開閉動作を極めて円滑に行なうことができる。なお、『回転運動の中心軸が移動、すなわち所謂「ぶれ」を伴う回転動作を行い』という記載は、開閉蓋の回動軸を含む回転運動の中心軸が開口部の側壁に設けられた軸受け部内を自在に遊動することを表しており、正確には、回転運動の中心軸が当該軸の垂直断面内において、その軸半径方向の全周に亘って軸受け部内を移動可能な状態であることを意味している。
【００１２】
また、本発明の第３の観点による開閉蓋用の軸および軸受け構造は、上記第１または第２の観点において、
前記軸受け部に対して張り出して設けられた突出部は、
軸受け部を一部塞ぐような形態で、その上面が筐体開口部の側壁と直交した略水平な面となるよう、かつその一方の側面は、該側面と筐体開口部の端面とで、その間に空間を生ずるように配置されていることを特徴とする。
【００１３】
なお、第３の観点による発明の構成を添付の図２ａ、図７ａ、および図１１を用いて、より具体的に説明すれば次のとおりである。すなわち、軸受け部５０に対して張り出して設けられた突出部６０は、軸受け部５０を一部塞ぐような形態で、突出部６０の上面６１が筐体開口部１１の側壁１２と直交した略水平な面となるように、かつ、突出部６０の一方の側面６２が筐体開口部１１の端面１３との間に空間１４を生ずるように配置されている。
【００１４】
したがって、このような構成にすることで、筐体開口部１１の開閉蓋２０が開かれる際、回動保持部９０或いは回動軸基部４０は、突出部６０の上面６１に当接されつつ突出部上を略９０度分回転移動し（図１１ａ参照）、上面６１が尽きたところで、開閉蓋２０は、突出部６０の一方の側面６２と筐体開口部１１の端面１３との間に形成された空間１４に、その端部が挿入された状態（図１１ｂ参照）に至り一連の動作が完了される。
【００１５】
なお、以上に説明した、回動保持部９０或いは回動軸基部４０が略９０度分回転した状態で開閉蓋２０の開き動作が完了する事例は、開閉蓋２０の回動軸３０がその端部に極めて接近した位置に配置された場合を示すものであり、本発明の実施が係る事例に限定されるものでないことは言うまでもない。例えば、回動軸３０を開閉蓋２０の端部より離して配置することによって、上記に説明した開閉蓋２０の開き動作の終了時における開き角度は略９０度よりも減少することになる。
【００１６】
その理由は、開閉蓋２０の端部が、突出部６０の側面６２と筐体開口部１１の端面１３との間に形成された空間１４の底に当接してしまうことで、開閉蓋２０の回転角度が９０度の手前で制限されてしまうからである。なお、この問題については、係る空間１４をさらに深く掘り下げることによって、すなわち、開口部１１内における係る空間１４の底部をさらに深くすることによって、開閉蓋２０の開度を略９０度まで行なうことが可能となる。
【００１７】
一方、上記のように回動軸３０を開閉蓋２０の端部より離して配置することによって、後述する開閉蓋２０が開き始める際の開閉蓋端部の押下動作（後述の段落番号「００４０」、「００６４」を参照）が容易となる、すなわち、開閉蓋２０が開き易くなるという利点が生ずる。
【発明の効果】
【００２０】
本発明によれば、製品のデザイン性に優れ、気密性が高く、かつ開閉時における開閉動作の円滑な開閉蓋用の軸および軸受け構造を、簡単な構造と低コストで実現することができる。
【発明を実施するための最良の形態】
【００２１】
以下の記載において、本発明を実施するための最良の形態である複数の実施例についてそれぞれの添付図面を参照しつつ説明を行なう。
【実施例１】
【００２２】
本発明の一つの実施形態である、開閉蓋用の軸および軸受け構造の実施例１について、図１ないし５の添付図面を用いて説明を行なう。
【００２３】
先ず、実施例１による、筐体および該筐体に設けられた開口部、ならびに該開口部に嵌設された開閉蓋の概略を図１の説明図に示す。図（１ａ）において、筐体１０は、例えば、ホームセキュリティ・システムや、通常の機械警備システムなどに使用される警備端末装置等が内蔵されたケースである。一般に、このようなケースは、ＡＢＳ樹脂などの高分子素材によって成形されていることが多い。
【００２４】
通常、筐体１０の樹脂ケースには、点検や保守、或いは運用のために種々の開口部が設けられている。図（１ａ）に示す事例では、樹脂ケースを筐体１０のベース部分（図示せず）に固定した特殊ネジにアクセスするための開口部１１が示されている。そして、係るネジの頭部を外部から遮蔽すべく、開口部１１には開閉蓋２０が嵌設されているものとする。
【００２５】
次に、図（１ａ）において破線で囲んだＡ部、すなわち、開口部１１および開閉蓋２０の部分に関する拡大図を図（１ｂ）に示す。なお、図（１ｂ）は、開口部１１に開閉蓋２０が嵌設された状態を透視的に表現したものである。また、図（１ａ）（１ｂ）共に、開閉蓋２０の端部の両側面に突出して設けられた回動軸に関しては、その形状および特徴を明確に表現するため実線或いはハッチングで表している。
【００２６】
図（１ｂ）に示すように、開口部１１に嵌合された開閉蓋２０を開くと、開口部１１の略中央部に示された円形状の穴の内部に、前述したケース取付け用の特殊ネジの頭部が現れる構造となっている。開閉蓋２０は、筐体１０と同様の樹脂部材で作られており、その端部の両側面には回動軸３０が突出して設けられている。
【００２７】
回動軸３０は、筐体側に設けられた軸受け機構（詳細構造については後述）によって枢支されており、開閉蓋２０は、係る回動軸および軸受け機構の双方によって開閉自在な構造となっている。なお、本実施例１における、筐体１０、開口部１１、および開閉蓋２０の、形状や大きさ或いはその設定位置等に関しては、図１に示された事例に限定されるものでないことは言うまでもない。
【００２８】
また、図１では、開閉蓋２０の端部側面の両側に突設された回動軸の長さがそれぞれ異なっているが、これは、開閉蓋２０を筐体１０に嵌め込む際の利便性を考慮して設定されたものであり（すなわち、先に長軸側を筐体の軸受け機構に嵌合させ、その後、短軸側を軸受け機構に嵌合させる）、係る回動軸の長さの相違は本発明の実施における本質的な構成要素ではない。
【００２９】
因みに、本実施例１において、開閉蓋２０は開口部１１の開口面に嵌合されている。したがって、開閉蓋２０を開くには、先ず、開閉蓋２０の回動軸が設けられた側の端部を指などで押下することにより開閉蓋２０の端部を沈降させる。これによって、開口部１１の内部に突設された支点７０を利用することにより、開閉蓋２０の他の端部（図（１ｂ）に示す開閉蓋２０の右側端部）が上昇されて開閉蓋２０が開くことになる。なお、開閉蓋２０の開閉動作の詳細については後述する。
【００３０】
続いて、開口部１１における軸受け機構、および開閉蓋２０の構造の詳細について、図２に基づいて説明を行なう。図（２ａ）は、開口部１１の内部を表した概略斜視図である。同図に示されるように、開口部１１の内部において、開閉蓋２０の回動軸３０が当接される近辺の側壁には軸受け部５０が設けられている。
【００３１】
軸受け部５０は、開口部１１の側壁面の一定領域を一定の深さで抉り取って凹部とした壁龕状の構造であっても良いし、或いは、側壁面の一定領域をくり貫いた貫通孔状の構造としても良い。本実施例においては、開閉蓋２０の端部側面の両側に突設された回動軸３０が係る凹部内もしくは貫通孔内に嵌合される。
【００３２】
軸受け部５０は、回動軸３０の周囲について十分に広い間隙を設けているので、回動軸３０は、軸受け部５０の領域内において自在に移動可能な構造となっている。なお、同図では、開口部１１の片側の側壁に設けられた軸受け部のみが示されているが、図示されていない反対側の側壁にも同様の軸受け部が設けられていることは言うまでもない。
【００３３】
また、開口部１１の内部には、前述の支点７０の他に突出部６０が設けられている。図（２ａ）からも明らかなように、突出部６０は、開口部１１の側壁に設けられた軸受け部５０に対して、例えば、テラスや露台のように張り出した形で設けられている。
【００３４】
次に、開閉蓋２０の詳細構造に付いて説明を行なう。図（２ｂ）は、開閉蓋２０を背面から示した斜視図である。また、図（２ｃ）は、開閉蓋２０の裏面を示した斜視図である。これらの図に示されるように、開閉蓋２０の一方の端部近傍の側面には、その両側に突出された回動軸３０が設けられている。また、開閉蓋２０の裏面には回動軸３０とほぼ同軸的に配置され、回動軸３０よりも太い半径を有する半円状の回動保持部９０が突出して設けられている。
【００３５】
さらに、開閉蓋２０には、回動軸３０が設けられた端部とは反対側の端部に係止爪８０が設けられている。係止爪８０は、開閉蓋２０を閉じた際に、開閉蓋２０を筐体の開口部１１に固定・係止させるためのロック機構であり、その構造等については通常の開閉蓋のロック機構と同様であるためその説明を省略する。
【００３６】
次に、本実施例１による開閉蓋用の軸および軸受け構造の動作例について説明を行なう。先ず、開閉蓋２０が閉ざされている状態を図３の説明図に示す。因みに、図（３ａ）は、前述の図（１ｂ）に示された開口部１１、開閉蓋２０の拡大図におけるＡ−Ａ’断面を示す図であり、図（３ｂ）は、同じく図（１ｂ）におけるＢ−Ｂ’断面を示す図である。
【００３７】
図（３ａ）に示されるように、回動軸３０は、開口部１１の側壁に設けられた軸受け部５０に収まっており、軸受け部５０の領域内においては、前述のように回動軸周囲に十分な広さの遊動間隙が設けられている。したがって、回動軸３０は、従来技術のように筐体側に設けられた回動軸用の軸受け孔内に固定的に嵌合されているのではなく、係る遊動間隙の範囲内おいて自在に移動可能な構造となっている。また、図（３ｂ）に示されるように、回動保持部９０もその周囲に遊動間隙を有しており、開口部１１の内部において移動可能な構造となっている。
【００３８】
なお、本実施例１では、開閉蓋２０が開口部１１に嵌合されており、かつ係止爪８０によって開閉蓋２０が開口部１１の壁面にロックされているため、上述のように回動軸３０と軸受け部５０との嵌合が緩やかであっても、開閉蓋２０がガタツクことはなく、また、開閉蓋２０が開口部１１から外れ落ちるおそれもない。
【００３９】
次に、開閉蓋２０を開く際の動作について、図４および図５を参照しつつ説明を行なう。なお、図４および図５は、前述の断面図（３ｂ）を基にした、あくまでも便宜上の動作説明図であり、製図法的には正確な断面図ではないことを予め記述しておく。
【００４０】
先ず、開閉蓋２０を開く際には、その回動軸３０が設けられている側の端部を指などで押下する。前述のように、回動軸３０は、筐体側の軸受け機構に対して遊動自在な構造となっているので、開閉蓋２０の回動軸側の端部は、開口部１１内部の支点７０を梃子動作の支点として、押下された方向に移動する。そして、回動軸３０は、軸受け部５０の遊動間隙内部において自在に移動し、係る移動の後、図（４ａ）に示されるように、回動軸３０の軸先端部が、軸受け部５０の側面に当接されてその移動が係止される。
【００４１】
一方、回動保持部９０も開閉蓋２０の動きに合わせて同様に移動し、その半径が回動軸３０の軸径よりも太いため、図（４ｂ）に示されるように、軸受け部５０に対し張り出して設けられたテラス状の突出部６０の水平面（上面）によって、その下方向への移動が係止される。
【００４２】
前述のように、開閉蓋２０は、開口部１１内の支点７０を動作支点として一種の梃子の動作を示すため、力が加えられた回動軸側端部と反対側の端部、すなわち係止爪８０が設けられている側の端部には、回動軸側端部と反対方向のモーメントが加わることになる。これによって、開閉蓋２０に設けられた係止爪８０と筐体１０とのロック機構（図示せず）が解除され、図４の各図に示されるように、開閉蓋２０の回動軸側端部とは反対側の端部がせりあがる。
【００４３】
回動軸３０は軸受け部５０の遊動間隙内において遊動自在な構造であるので、開閉蓋２０の開度がさらに増加すると、図（５ａ）に示すように、今度は後方（図（５ａ）の向かって左側）に移動することができる。また、回動保持部９０は、図（５ｂ）に示すように、突出部６０の水平面上を回転するように動き開閉蓋２０の円滑な開放動作を助長する。この結果、開閉蓋２０は完全に開かれることになる。
【００４４】
以上に説明したように、本実施例１においては、開閉蓋２０の回動軸３０が筐体側の軸受け孔等に固定されることなく、筐体側の軸受け部５０に設けられた所定領域内を自在に遊動する。これによって、開閉蓋２０の回動軸側端部が開口部１１の後部壁と干渉することなく、開閉蓋２０の開放動作を円滑に進めることができる。なお、図４或いは５に示すように、開閉蓋２０の開いた状態においても、回動軸３０の動きは軸受け部５０の所定領域内に制限されており、これを逸脱することができないため、開いた状態の開閉蓋２０が筐体１０から外れて落ちるおそれはない。
【００４５】
一方、開閉蓋２０を閉める際の動作は、以上に説明した動作と逆の行程を踏むものであって、先ず、開閉蓋２０で開口部１１を塞ぎ、その後、開閉蓋２０の係止爪８０が設けられている側の端部を押下することによって、係止爪８０と開口部１１に設けられたロック機構（図示せず）がロックされ、開閉蓋２０が筐体の開口部１１に嵌合されることになる。
【００４６】
以上に説明したように、本実施例１によれば、主に、開閉蓋の軸に対する軸受け構造の遊動スペースを広く設けることによって、開閉蓋とそれが組み込まれる筐体開口部との隙間を極端に狭くすることが可能となり、筐体のデザイン性が向上すると共に、開閉蓋と筐体との干渉逃げ形状の加工等の処理を省略することができる。
【００４７】
また、本実施例１においては、開閉蓋の回動軸と筐体に設けられた軸受け機構との結合構造が、回動軸を筐体側の軸受け孔に挿入する従来の結合構造に較べて柔軟であり、かつ回動軸が回動保持部によって保持されている。それ故、例えば、開閉蓋を開いた状態で開閉蓋に不測の力が加わった場合でも、回動軸の遊動や回動保持部の動きにより加わった応力を分散させることが可能であり、開閉蓋や回動軸の折損・損傷を回避できる可能性を高めることができる。
【実施例２】
【００４８】
次に、本発明の他の実施形態である実施例２について、図６ないし図１０の添付図面を用いて説明を行なう。なお、本実施例２による開閉蓋用の軸および軸受け構造は、実施例１で説明を行なった軸および軸受け構造を基本とするものであるため、同一もしくは類似の構成要素に関する説明等は省略する。
【００４９】
先ず、本実施例２による筐体および該筐体に設けられた開口部、ならびに該開口部に嵌設された開閉蓋の概略を図６の説明図に示す。図（６ａ）に示す事例では、筐体１０の樹脂ケースをそのベース部分（図示せず）に固定した特殊ネジにアクセスするための開口部１１が示されている。そして、係るネジの頭部を遮蔽すべく開口部１１には開閉蓋２０が嵌設されている。
【００５０】
次に、図（６ａ）において破線で囲んだＡ部、すなわち、開口部１１および開閉蓋２０の部分に関する拡大図を図（６ｂ）に示す。図（６ｂ）は、開口部１１に開閉蓋２０が嵌設された状態を透視的に表現したものである。また、図（６ａ）、（６ｂ）共に、開閉蓋２０の端部の両側面に突出して設けられた回動軸３０に関しては、その形状および特徴を明確に表現するため実線或いはハッチングで表している。
【００５１】
図（６ｂ）に示すように、開口部１１に嵌合された開閉蓋２０を開くと、開口部１１の略中央部に示された円形状の穴の内部に、前述したケース取付け用の特殊ネジの頭部が現れる構造となっている。開閉蓋２０は、筐体１０と同様の樹脂部材で作られており、図（７ｂ）、（７ｃ）に示すように、その一方の端部近傍の両側面には、その基部（回動軸基部４０）が先端部よりも太い軸径を持つように設定された回動軸３０が突出して設けられている。
【００５２】
回動軸３０は、筐体側に設けられた軸受け機構（詳細構造については後述）によって枢支されており、開閉蓋２０は、係る回動軸および軸受け機構の双方によって開閉自在な構造となっている。なお、本実施例２における、筐体１０、開口部１１、および開閉蓋２０の、形状や大きさ或いはその設定位置等に関しては、図６に示された事例に限定されるものでないことは言うまでもない。また、図６では、開閉蓋２０の端部側面の両側に突設された回動軸の長さがそれぞれ異なっているが、これは、開閉蓋２０を筐体１０に嵌め込む際の利便性を考慮して設定されたものであり、本発明の実施における本質的な構成要素ではない。
【００５３】
因みに、本実施例２において、開閉蓋２０は、開口部１１の開口面に嵌合されている。したがって、開閉蓋２０を開くには、先ず、開閉蓋２０の回動軸３０が設けられた側の端部を、指などで押下することにより開閉蓋２０の端部を沈降させる。これによって、開口部１１の内部に突設された支点７０を利用することにより、開閉蓋２０の他の端部（図（６ｂ）に示す開閉蓋２０の右側端部）が上昇されて開閉蓋２０が開くことになる。なお、開閉蓋２０の開閉動作の詳細については後述する。
【００５４】
続いて、開口部１１における軸受け機構、および開閉蓋２０の構造の詳細について、図７に基づいて説明を行なう。図（７ａ）は、開口部１１の内部を表した概略斜視図である。同図に示されるように、開口部１１の内部において、開閉蓋２０の回動軸３０が当接される近辺の側壁には軸受け部５０が設けられている。
【００５５】
軸受け部５０は、開口部１１の側壁面の一定領域を一定の深さで抉り取って凹部とした壁龕状の構造であっても良いし、或いは、側壁面の一定領域をくり貫いた貫通孔状の構造としても良い。本実施例２においては、開閉蓋２０の端部側面の両側に突設された回動軸３０が係る凹部内もしくは貫通孔内に嵌合される。
【００５６】
軸受け部５０は、回動軸３０の周囲について十分に広い間隙を設けているので、回動軸３０は、軸受け部５０の領域内において自在に移動可能な構造となっている。なお、同図では、開口部１１の片側の側壁に設けられた軸受け部のみが示されているが、図示されていない反対側の側壁にも同様の軸受け部が設けられていることは言うまでもない。
【００５７】
また、開口部１１の内部には、前述の支点７０の他に突出部６０が設けられている。図（２ａ）からも明らかなように、突出部６０は、開口部１１の側壁に設けられた軸受け部５０に対して、例えば、テラスや露台のように張り出した形で設けられている。
【００５８】
次に、開閉蓋２０の詳細構造に付いて説明を行なう。図（７ｂ）は、開閉蓋２０を背面から示した斜視図である。また、図（７ｃ）は、開閉蓋２０の裏面を示した斜視図である。これらの図に示されるように、開閉蓋２０の一方の端部近傍の側面には、その両側に突出された回動軸３０が設けられている。回動軸３０は、基部（回動軸基部４０）において、その径が軸先端部よりも太くなっており、回動軸３０の軸先端部が前述した軸受け部５０内に嵌合されることになる。
【００５９】
また、開閉蓋２０において、回動軸３０が設けられた端部とは反対側の端部に係止爪８０が設けられている。係止爪８０は、開閉蓋２０を閉じた際に、開閉蓋２０を筐体の開口部１１に固定・係止させるためのロック機構であり、その構造等については通常の開閉蓋のロック機構と同様であるためその説明を省略する。
【００６０】
次に、本実施例２による開閉蓋用の軸および軸受け構造の動作例について説明を行なう。先ず、開閉蓋２０が閉ざされている状態を図８の説明図に示す。因みに、図（８ａ）は、前述の図（６ｂ）に示された拡大図におけるＡ−Ａ’断面を示す図であり、図（８ｂ）は、同じく図（６ｂ）におけるＢ−Ｂ’断面を示す図である。
【００６１】
図（８ａ）に示されるように、回動軸３０の軸先端部は、開口部１１の側壁に設けられた軸受け部５０に収まっており、軸先端部の周囲には十分な広さの遊動間隙が設けられている。したがって、回動軸３０は、係る遊動間隙の範囲内おいて自在に移動可能な構造となっている。また、図（８ｂ）に示されるように、回動軸基部４０も、開口部１１の内部において移動可能な構造となっている。すなわち、本実施例２では、回動軸３０が、従来技術のように、筐体側に設けられた回動軸用の軸受け孔内に固定的に嵌合されているのではなく、ある程度の遊動間隙が設けられた軸受け機構に嵌合されている。
【００６２】
なお、本実施例２では、開閉蓋２０が開口部１１に嵌合されており、かつ係止爪８０によって開閉蓋２０が開口部１１の壁面にロックされているため、上述のように回動軸３０と軸受け部５０との嵌合が緩やかであっても、開閉蓋２０の閉じられた状態において開閉蓋２０がガタツクことはなく、また、開閉蓋２０が開口部１１から外れ落ちるおそれもない。
【００６３】
次に、開閉蓋２０を開く際の動作について、図９および図１０を参照しつつ説明を行なう。なお、図９および図１０は、前述の断面図（８ｂ）を基にした、あくまでも便宜上の動作説明図であり、製図法的には正確な断面図ではないことを予め記述しておく。
【００６４】
先ず、開閉蓋２０を開く際には、その回動軸側の端部を指などで押下する。前述のように、開閉蓋２０の回動軸３０は、筐体側に設けられた軸受け機構に対して遊動自在な構造となっているので、開閉蓋２０の回動軸側の端部は、開口部１１の内部で支点７０を梃子動作の支点として、押下された方向に移動する。そして、回動軸３０は、軸受け部５０の遊動間隙内部において自在に移動し、係る移動の後、図（９ａ）に示されるように回動軸３０の軸先端部が、軸受け部５０の側面に当接されてその移動が係止される。
【００６５】
一方、回動軸基部４０も回動軸３０の動作に合わせて移動し、回動軸基部４０の軸径が軸先端部の軸径よりも太いため、図（９ｂ）に示されるようにその下方への移動は、軸受け部５０に対し張り出して設けられたテラス状の突出部６０の水平面（上面）によって係止される。
【００６６】
前述のように、開閉蓋２０は、開口部１１内の支点７０を動作支点として一種の梃子の動作を示すため、力が加えられた回動軸側端部と反対側の端部、すなわち係止爪８０が設けられている側の端部に、回動軸側端部とは反対方向のモーメントが加わることになる。これによって、開閉蓋２０に設けられた係止爪８０と、回動筐体１０とのロック機構（図示せず）が解除され、図９に示されるように開閉蓋２０の回動軸側端部とは反対側の端部がせりあがる。
【００６７】
開閉蓋２０の開度がさらに増加すると、回動軸３０の軸先端部は軸受け部５０の遊動間隙内において、その軸半径方向に遊動自在な構造であるので、図（１０ａ）に示すように、今度はその後方（図（１０ａ）の向かって左側）に移動することができる。また、回動軸基部４０は、図（１０ｂ）に示すように、突出部６０の水平面上を回転するように動き開閉蓋２０の円滑な開放動作を助長する。この結果、開閉蓋２０は完全に開かれることになる。
【００６８】
以上に説明したように、本実施例２においては、開閉蓋２０に設けられた回動軸３０が軸受け孔等に固定されることがなく、筐体側の軸受け部５０に設けられた所定領域内を自在に遊動する。このため、図９や図１０に示されるように、開閉蓋２０の回動軸側端部が開口部１１の後部壁と干渉するおそれはなく、開閉蓋２０の開放動作を円滑に進めることができる。
【００６９】
なお、図９或いは図１０に示すように、開閉蓋２０の開いた状態においても、回動軸３０の軸先端部の動きは、開口部１１の側壁に設けられた軸受け部５０の内部に制限されており、これを逸脱することができないため、開いた状態の開閉蓋２０が筐体１０から外れて落ちるおそれはない。
【００７０】
一方、開閉蓋２０を閉める際の動作は、以上に説明した動作と逆の行程を踏むものであって、先ず、開閉蓋２０で開口部１１を塞ぎ、その後、開閉蓋２０の係止爪８０が設けられている側の端部を押下することによって、係止爪８０と開口部１１に設けられたロック機構（図示せず）がロックされ、開閉蓋２０が筐体の開口部１１に嵌合される。
【００７１】
以上に説明したように、本実施例２によれば、主に、開閉蓋の軸に対する軸受け構造の遊動スペースを大きく設けることによって、開閉蓋とそれが組み込まれる筐体開口部との隙間を極端に狭くすることが可能となり、筐体のデザイン性が向上すると共に、開閉蓋と筐体との干渉逃げ形状加工等を省略することができる。
【００７２】
また、本実施例２においては、開閉蓋の回動軸と筐体に設けられた軸受け機構との結合構造が、回動軸を筐体側の軸受け孔に挿入する従来の結合構造に較べて柔軟であるため、例えば、開閉蓋を開いた状態で開閉蓋に不測の力が加わった場合でも、回動軸の軸基部および軸先端部の遊動により加わった応力を分散することで、開閉蓋や回動軸の折損・損傷を回避できる可能性が高まる。
【００７３】
なお、本発明は以上に説明した各実施形態に限定されるものではなく、例えば、本発明を構成する各部位の形状や配置、或いはその素材等は、本発明の趣旨を逸脱することなく、現実の実施対応に即して適宜変更ができるものであることは言うまでもない。
【産業上の利用可能性】
【００７４】
以上に説明した本発明の構成は、各種の筐体の開口部に設けられた開閉蓋の回動軸と、同筐体側に設けられた軸受け機構において広く利用することができる。
【図面の簡単な説明】
【００７５】
【図１】本発明の実施例１による筐体等の概略を示す説明図である。
【図２】図１に示された開口部１１および開閉蓋２０の構造を示す斜視図である。
【図３】図（１ｂ）において、開閉蓋２０が閉ざされた状態を示す断面図である。
【図４】本実施例において開閉蓋２０が開かれる際の動作を説明した図である。
【図５】本実施例において開閉蓋２０の開度が増加した際の動作を説明した図である。
【図６】本発明の実施例２による筐体等の概略を示す説明図である。
【図７】図６に示された開口部１１および開閉蓋２０の構造を示す斜視図である。
【図８】図（６ｂ）において、開閉蓋２０が閉ざされた状態を示す断面図である。
【図９】本実施例において開閉蓋２０が開かれる際の動作を説明した図である。
【図１０】本実施例において開閉蓋２０の開度が増加した際の動作を説明した図である。
【図１１】本発明において、筐体開口部１１の端面１３と筐体開口部１１内の突出部６０の側面６２との間に形成される空間１４を用いて、開閉蓋２０の開閉動作が実現される様子を説明した図である。
【符号の説明】
【００７６】
１０    …  筐体
１１    …  筐体開口部
１２    …  筐体開口部側壁
１３    …  筐体開口部端面
１４    …  空間
２０    …  開閉蓋
３０    …  回動軸
４０    …  回動軸基部
５０    …  軸受け部
６０    …  突出部
６１    …  突出部上面
６２    …  突出部側面
７０    …  支点
８０    …  係止爪
９０    …  回動保持部
【図１】
0005425137.tif 000002
【図２】
0005425137.tif 000003
【図３】
0005425137.tif 000004
【図４】
0005425137.tif 000005
【図５】
0005425137.tif 000006
【図６】
0005425137.tif 000007
【図７】
0005425137.tif 000008
【図８】
0005425137.tif 000009
【図９】
0005425137.tif 000010
【図１０】
0005425137.tif 000011
【図１１】
0005425137.tif 000012